(57)【要約】【課題】  溝の内部を効率よく掃除することが可能な電気掃除機の吸込口体およびこれを備えた電気掃除機を得る。【解決手段】  掃除機本体に接続され、底面に開口した吸込口５を備えた吸込口体本体２を有する電気掃除機の吸込口体１であって、吸込口体本体２の前面に、下側に開口する切り欠き部７を備えたプレート６を配設し、プレート６に、切り欠き部７の後方に位置し、切り欠き部７から流入した空気を受けて床面側に吹き出させる切り欠き風路遮蔽部１２を設けたものである。【選択図】図１
2006102367.tif 000002
【特許請求の範囲】
【請求項１】
掃除機本体に接続され、底面に開口した吸込口を備えた吸込口体本体を有する電気掃除機の吸込口体であって、
前記吸込口体本体の前面に、下側に開口する切り欠き部を備えた板状部材を配設し、該板状部材に、前記切り欠き部の後方に位置し、前記切り欠き部から流入した空気を受けて床面側に吹き出させる遮蔽部を設けたことを特徴とする電気掃除機の吸込口体。
【請求項２】
前記切り欠き部は、略矩形状で上側の２つの角部が湾曲状に形成されてなることを特徴とする請求項１記載の電気掃除機の吸込口体。
【請求項３】
前記切り欠き部は、弓状に湾曲した湾曲状に形成されてなることを特徴とする請求項１記載の電気掃除機の吸込口体。
【請求項４】
前記遮蔽部の下端の幅が前記切り欠き部の下端の幅と同じかまたはそれよりも短いことを特徴とする請求項１乃至請求項３の何れかに記載の電気掃除機の吸込口体。
【請求項５】
前記遮蔽部の下端の幅を前記切り欠き部の下端の幅よりも短くする場合、前記切り欠き部の下端の幅の１／２よりは長くすることを特徴とする請求項４記載の電気掃除機の吸込口体。
【請求項６】
前記切り欠き部は、縦断面形状が上端部から下端部に向かうに従って高さが徐々に低くなるように形成され、且つ前記切り欠き部の内周縁と前記遮蔽部とが湾曲面によって滑らかに連結するように構成されてなることを特徴とする請求項１乃至請求項５の何れかに記載の電気掃除機の吸込口体。
【請求項７】
前記切り欠き部の前面から前記遮蔽部の前面までの距離が１ｍｍから１０ｍｍの範囲内であることを特徴とする請求項１乃至請求項６の何れかに記載の電気掃除機の吸込口体。
【請求項８】
前記板状部材は、前面板部材と背面板部材とを間隔を空けて接合した構成を成し、前記切り欠き部は前記前面板部材に形成され、前記遮蔽部は前記背面板部材において前記切り欠き部に対向する部分によって構成されてなることを特徴とする請求項１乃至請求項７の何れかに記載の電気掃除機の吸込口体。
【請求項９】
前記背面板部材において、下側に開口する背面側切り欠き部を前記遮蔽部の左右両側に設けたことを特徴とする請求項８記載の電気掃除機の吸込口体。
【請求項１０】
前記前面板部材において前記切り欠き部の左右に位置する非切り欠き部の後方の空間を閉塞する閉塞部を備え、該閉塞部の下端面が前記背面板部材の前記遮蔽部の下端面よりも上方に位置するように形成したことを特徴とする請求項８又は請求項９記載の電気掃除機の吸込口体。
【請求項１１】
前記板状部材の一部あるいは全部を可とう性を有する材料で構成したことを特徴とする請求項１乃至請求項１０の何れかに記載の電気掃除機の吸込口体。
【請求項１２】
前記板状部材において前記切り欠き部の左右に位置する非切り欠き部に相当する部位と、前記遮蔽部に相当する部位とを、それぞれブラシ毛によって構成したことを特徴とする請求項８乃至請求項１１の何れかに記載の電気掃除機の吸込口体。
【請求項１３】
前記板状部材において前記切り欠き部の左右に位置する非切り欠き部の下端と、前記遮蔽部の下端とのそれぞれに、ブラシ毛を植毛したことを特徴とする特徴とする請求項１乃至請求項１１の何れかに記載の電気掃除機の吸込口体。
【請求項１４】
請求項１乃至請求項１３の何れかに記載の電気掃除機の吸込口体を備えたことを特徴とする電気掃除機。
【発明の詳細な説明】
【技術分野】
【０００１】
本発明は、溝内を効率よく掃除することが可能な電気掃除機の吸込口体およびこれを備えた電気掃除機に関するものである。
【背景技術】
【０００２】
従来の電気掃除機の吸込口体において、吸込口体本体の前壁あるいは前面に可とう体を設け、この可とう体の底辺に下側に開口する切り欠き部を備えた構成のものがある（例えば、特許文献１、特許文献２参照）。これらの技術では、可とう体を設けたことによって、吸込口体本体を床面に載置した際に吸込口体本体下面に設けた吸込口と床面との間に適正な間隔の隙間を確保することを可能とし、また、切り欠き部を設けたことによって、吸込口体の前方のゴミを吸込口体本体下面に設けた吸込口へ吸い込まれ易くすることを可能としていた。
【特許文献１】実開昭５２−１１２１５９号公報（第４頁、第５図）
【特許文献２】特公平５−３８６０９号公報（第５頁、第８図）
【発明の開示】
【発明が解決しようとする課題】
【０００３】
上記従来の電気掃除機は、電気掃除機本体が動作すると、可とう体の前方の空気が切り欠き部や吸込口体本体と床面との隙間を介して吸込口に流入し、この空気とともに床面の塵埃等のゴミを吸引することで床面の掃除を行っている。ここで、吸込口体本体の前壁あるいは前面に設けられた可とう体の切り欠き部は、切り欠きのない部分（以降、非切り欠き部と呼ぶ）が床面との間に形成する領域に比べて広い空間を形成しているため、可とう体前方の空気は切り欠き部から集中して流入する。
【０００４】
上記従来の電気掃除機を用いて床面の溝を掃除する場合について考察すると、切り欠き部に集中して流入した空気のうち、切り欠き部の前側上方から斜め下向きに流入した空気は、切り欠き部の後方下側に向かう気流となる。したがって、溝上に切り欠き部が位置するように吸込口体を位置させた場合、この気流が溝内部に流入してゴミを巻き上げることになり、これによりゴミの除去が可能となっている。
【０００５】
しかしながら、特許文献１や特許文献２では吸込口体本体の前壁あるいは前面に設けられた可とう体の後方は吸込風路となっているため、溝上に切り欠き部が位置するように吸込口体を位置させた場合でも、切り欠き部から流入する空気の大半は、そのまま床面と平行に流れて吸込口本体下面の吸込口に流入してしまい、溝内部に向けて下方へと流れる空気量の割合は少ない。したがって、深い溝に対しては内部のゴミを十分に除去できないという課題があった。
【０００６】
本発明はこれらの課題を解消するためになされたものであり、溝の内部を効率よく掃除することが可能な電気掃除機の吸込口体およびこれを備えた電気掃除機を得ることを目的とする。
【課題を解決するための手段】
【０００７】
本発明に係る電気掃除機の吸込口体は、掃除機本体に接続され、底面に開口した吸込口を備えた吸込口体本体を有する電気掃除機の吸込口体であって、吸込口体本体の前面に、下側に開口する切り欠き部を備えた板状部材を配設し、板状部材に、切り欠き部の後方に位置し、切り欠き部から流入した空気を受けて床面側に吹き出させる遮蔽部を設けたものである。
【発明の効果】
【０００８】
本発明によれば、吸込口体本体の前面に配設され、下側に開口する切り欠き部を有する板状部材において、切り欠き部の後方に位置する部分に、切り欠き部から流入した空気を受けて床面側に吹き出させる遮蔽部を設けたので、切り欠き部から流入した空気を床面の溝内部に流れ込む気流とすることができ、この気流によりゴミを巻き上げて溝内部を効率よく掃除することが可能となる。
【発明を実施するための最良の形態】
【０００９】
実施の形態１．
図１から図８は本発明の実施の形態１に係る電気掃除機の吸込口体の図面であり、図１は前方斜視図、図２は側面断面図である。
図１、図２において、吸込口体１は、電気掃除機本体（図示せず）に吸引ホース（図示せず）及び吸引パイプ（図示せず）を介して接続されるものであり、吸込口体本体２と、吸込口体本体２の後側に上下方向に回動自在に連結された上下回動連結部３と、前記上下回動連結部に左右方向に回動自在に連結されたパイプ連結部４とから構成される。
【００１０】
吸込口体本体２の底面には吸込口５が設けられ、電気掃除機本体運転時にブロワーモーター（図示せず）の発生する負の圧力により、空気は、吸込口５から上下回動連結部３とパイプ連結部内の風路を介して電気掃除機本体に吸引される。また、吸込口体１の前側には吸込口５の前壁を構成する板状部材としてのプレート６が設けられている。
【００１１】
図３はプレートの拡大斜視図、図４は図３のＡ−Ａ断面図である。
プレート６は、下端に複数の矩形状の切り欠き部７を有する前面板部材としての前側プレート８と、前側プレート８の後方に、本例では例えば３ｍｍの間隔を空けて略垂直に設けられた背面板部材としての後側プレート９と、前側プレート８及び後側プレート９を固定するスペーサ１０とによって構成される。以降、前側プレート８において切り欠きのない部分を非切り欠き部１１、後側プレート９において前側プレート８の切り欠き部７の後方部分を切り欠き風路遮蔽部１２として説明する。この切り欠き風路遮蔽部１２は、切り欠き部７から流入した空気を受けて床面側に吹き出させるためのものである。
【００１２】
図１及び図２の説明に戻る。吸込口体本体２には、前面から側面にかけて、壁や家具との衝突時の衝撃を和らげるためのゴム材で構成されるバンパー１３が設けられている。また、吸込口体本体２の底面前側下部および後側下部には、それぞれ一対の前輪１４と後輪１５が設けられており、吸込口体１を床面１６に載置した際に、前輪１４および後輪１５により吸込口体本体２の底面と床面１６の間に隙間を構成している。
【００１３】
吸込口体本体２の吸込口５には、外周部に植毛を有する回転ブラシ１７が回転可能に設けられており、吸込口体本体２内部に設けられたモータ１８により駆動ベルト（図示せず）を介して回転し、床面１６を掃き取る。モータ１８を駆動するための電力は、吸引パイプの給電端子（図示せず）を介してモータ電源端子１９に供給される。
【００１４】
次に、電気掃除機本体の運転時の動作について、図５から図８を用いて説明する。図５〜図８は床面に設けられた溝の上に吸込口体のプレートを載置した状態を示している。図５はプレートの前方から切り欠き部に吸引される空気の流れを示す図、図６は溝内部の空気の流れを示す図である。図７は吸込口体を溝の上に載置した状態における切り欠き部にかかる断面を示す側面断面図である。図８は吸込口体を溝の上に載置した状態における非切り欠き部にかかる断面を示す側面断面図である。
【００１５】
溝２０は、ここでは長さ３０ｍｍ、幅３ｍｍ、深さ１０ｍｍ程度の大きさを有し、プレート６のおよそ２個分の切り欠き部７によって覆われた状態となっている。なお、プレート６下端と床面１６の間隔は本例では例えば２ｍｍに設定している。
【００１６】
電気掃除機本体が運転されると、吸込口体１の前方の空気が、プレート６と床面１６との間の隙間から吸引される。このとき、切り欠き部７は広く開口しているため、非切り欠き部１１の下側に流入する空気よりも切り欠き部７に流入する空気の方が多くなる。したがって、図５に示すように、切り欠き部７の前方周囲から切り欠き部７に集中して空気が流入する。
【００１７】
切り欠き部７に集中して流入した空気ａは、図７に示すように側面方向から見ると、切り欠き部７の前側上方から斜め下方向に吸引され、切り欠き部７の後方に位置する後側プレート９の切り欠き風路遮蔽部１２に当接し、その大半が下方に向かう下降気流ｂとなり、一部が床面１６と切り欠き風路遮蔽部の隙間より吸込口体１の内部に向かう気流ｃとなる。下降気流ｂは、溝２０内部に入り込み、溝２０の底面に当接した後、溝内部のゴミを巻き上げながら上昇気流ｄとなって溝２０の前側（図７左側）および横側（図７において紙面に直交する方向）に向かう気流となる。
【００１８】
一方、図８に示すように非切り欠き部１１から吸引された気流ｅは、側面方向から見ると、床面１６と非切り欠き部１１の間の隙間から直接吸込口体１内部に向かう気流ｆになるとともに、溝２０内部で切り欠き部７の下方側から回り込んだゴミを含む上昇気流ｄと合流して吸込口５から吸込口体１内部に吸引される。
【００１９】
このように本実施の形態１によれば、切り欠き部７の後方に切り欠き風路遮蔽部１２を設けたことにより、従来、切り欠き部から流入してそのまま吸込口に吸入されていた空気を、切り欠き風路遮蔽部１２に当接させて床面１６側、すなわち溝２０内部に入り込む下降気流とすることが可能となる。したがって、溝２０が深い場合でも溝内部に深く入り込んでゴミを巻き上げることが可能となり、深い溝２０に対しても十分な塵埃除去効果を発揮することが可能となる。
【００２０】
実施の形態２．
図９は本発明の実施の形態２に係る電気掃除機の吸込口体のプレートの拡大斜視図、図１０は、図９のＢ−Ｂ断面図である。なお、図９及び図１０において、図１〜図８に示した実施の形態１と同一部分または相当する部分には同じ符号を付し説明を省略する。
【００２１】
実施の形態２は、図３に示した実施の形態１における切り欠き部７に代えて切り欠き部２１を設けたもので、その他の構成は実施の形態１と同様である。ここで、切り欠き部２１は、実施の形態１における切り欠き部７おいて、上部側の左右角部にＲ状を成す湾曲部２２を設けたものである。
【００２２】
このように構成したことにより、実施の形態１とほぼ同様の作用効果が得られるとともに、角部を湾曲状としたことにより、角部を角状のままとした場合と比べて角部から切り欠き部２１下方の空気の吸引面までの距離を全体的に均一的にすることができる。このため、切り欠き部２１の周縁全体から均一に空気が吸引され、周縁に作用する吸引力を全体的に均一的にすることができる。すなわち、角部を角状とした場合では、角部の頂点において特に吸引力が弱く吸引力にムラがあったのに対し、角部を湾曲状とすることでそのムラを低減することが可能となる。これにより、切り欠き部２１に集中して流入する空気の速度を上昇させることができ、強い下降気流を発生させることが可能となる。したがって、溝２０が深い場合でも、溝底面に溜まったゴミを巻き上げるのに十分な気流が溝底面に達し、高いゴミ除去効果を得ることができる。
【００２３】
実施の形態３．
図１１は本発明の実施の形態３に係る電気掃除機の吸込口体のプレートの拡大斜視図、図１２は図１１のＣ−Ｃ断面図である。なお、図１１及び図１２において、図１〜図８に示した実施の形態１と同一部分または相当する部分には同じ符号を付し説明を省略する。
【００２４】
実施の形態３は、図３に示した実施の形態１において切り欠き部を、矩形状の切り欠き部７に代えて弓状に湾曲した湾曲状の切り欠き部２３としたもので、その他の構成は実施の形態１と同様である。なお、切り欠き部２３は、切り欠き高さＨ１の方が切り欠き幅Ｗ１よりも長く構成されている。
【００２５】
このように構成したことにより、実施の形態１とほぼ同様の作用効果が得られるとともに、切り欠き部２３において湾曲辺（内周縁）２４の切り欠き高さＨ１を、切り欠き幅Ｗ１よりも長くなるように構成したため、例えば切り欠き高さＨ１を低くして切り欠き幅Ｗ１と同じ寸法とした場合と比べて切り欠き部２３の上端縁における空気の流入角度を大きくすることができ、切り欠き風路遮蔽部１２に当接した際に強い下降気流を発生させることが可能となる。
【００２６】
また、切り欠き部２３を弓状に湾曲した湾曲状としたため、上記実施の形態２と比べて更に切り欠き部２３の内周縁２４から切り欠き部２３下方の空気の吸引面までの距離を更に均一的にすることができ、切り欠き部２３の内周縁２４全体においてより均一に空気を吸引することができる。これにより切り欠き部２３に集中して流入する空気の速度を更に上昇させることができ、強い下降気流を発生させることが可能となる。
【００２７】
本実施の形態３によれば、以上に説明した作用により、溝２０が深い場合でも、溝底面に溜まったゴミを巻き上げるのに十分な気流が溝底面に達し、さらに高いゴミ除去効果を得ることができる。
【００２８】
実施の形態４．
図１３は本発明の実施の形態４に係る電気掃除機の吸込口体のプレートの拡大斜視図、図１４は図１３のＤ−Ｄ断面図である。なお、図１３及び図１４において、図１〜図８に示した実施の形態１と同一部分または相当する部分には同じ符号を付し説明を省略する。
【００２９】
実施の形態４は、図３に示した実施の形態１における後側プレート９を、前側プレート８と同様に、下端に所定の間隔を空けて複数の矩形状の切り欠き部（以下、後側切り欠き部という）２６を有する構成とし、このように構成した後側プレート９と前側プレート８とを、切り欠き部の位置が互い違いになるように向き合わせ、その状態でスペーサ１０によって固定した構成としたものである。なお、以下では、後側プレート９において、前側プレート８の切り欠き部７の後方に位置する部分を切り欠き風路遮蔽部２５として説明する。この切り欠き風路遮蔽部２５は、切り欠き部７と同じ幅となるように構成されている。
【００３０】
次に、電気掃除機本体の運転時の動作について図１３から図１６を用いて説明する。図１５は吸込口体を溝の上に載置した状態における切り欠き部にかかる断面を示す側面断面図である。図１６は吸込口体を溝の上に載置した状態における非切り欠き部にかかる断面を示す側面断面図である。
【００３１】
図１５に示すように、電気掃除機本体が運転されることによって切り欠き部７の前方から吸引される気流ａは、切り欠き部７の前側上方から斜め下方向に吸引され、実施の形態１と同様に切り欠き部７の後方に位置する後側プレート９の切り欠き風路遮蔽部２５に当接し、その大半が下方に向かう下降気流ｂとなり、一部が床面１６と切り欠き風路遮蔽部２５の隙間より吸込口体１の内部に向かう気流ｃとなる。ここで、本実施の形態４では、切り欠き風路遮蔽部２５の左右両側に後側切り欠き部２６が設けられているため、切り欠き部７から流入して切り欠き風路遮蔽部２５に当接した空気の一部は、その左右両側の後側切り欠き部２６を通過し、吸込口体１の内部に向かう気流となる。この気流は図１６において気流ｇで示されている。なお、下降気流ｂは、実施の形態１と同様に溝２０内部に入り込み、溝２０の底面に当接した後、溝内部のゴミを巻き上げながら上昇気流ｄとなって溝２０の前側（図１５左側）および横側（図１５において紙面に直交する方向）に向かう。
【００３２】
一方、非切り欠き部１１から吸引される気流ｅは、図１６に示すように側面方向から見ると、床面１６と非切り欠き部１１の間の隙間から直接吸込口体１内部に向かう気流ｆとなるとともに、溝２０内部で切り欠き部７の下方から回り込んだゴミを含む上昇気流ｄ及び切り欠き風路遮蔽部２５から後側切り欠き部２６へと回り込んだ気流ｇと合流して吸込口５から吸込口体１内部へと吸引される。
【００３３】
このように本実施の形態４によれば、切り欠き風路遮蔽部２５の左右両側に後側切り欠き部２６を設けたことにより、切り欠き部７に集中して流入していた空気の一部を、後側切り欠き部２６を抜けて吸込口５に吸引される気流ｇとすることができ、切り欠き部７から吸込口５に至る風路の圧力損失を小さくすることができる。これにより、吸込口５に流入する全風量を増加させることができ、溝２０内部下方に向かう気流の風速も上昇させることができる。その結果、溝２０が深い場合でも、溝底面に溜まったゴミを巻き上げるのに十分な気流が溝底面に達し、高いゴミ除去効果を得ることができる。
【００３４】
実施の形態５．
図１７は本発明の実施の形態５に係る電気掃除機の吸込口体のプレートの拡大斜視図、図１８は図１７のＥ−Ｅ断面図、図１９は図１７において前側プレートを取り外した状態を示す図である。なお、図１７〜図１９において、図１３〜図１５に示した実施の形態４と同一部分または相当する部分には同じ符号を付し説明を省略する。
【００３５】
実施の形態５は、図１３〜図１５に示した実施の形態４において前側プレート８の非切欠部１１の後方の空間を閉塞する閉塞部２７を設け、閉塞部２７の下端面２７ａが、後方プレートの切り欠き風路遮蔽部２５の下端面よりも上方に位置するように構成したもので、その他の構成は実施の形態４と同様である。本例において閉塞部２７は、スペーサ１０の一部を下方に延出させることによって構成している。かかる構成により、前側プレート８の非切り欠き部１１の後方の空間を閉塞部２７で閉塞しつつ、閉塞部２７の下端面２７ａと床面１６との間に、後側プレート９の切り欠き風路遮蔽部２５の下端面と床面１６との間隔よりも広い間隔を確保している。なお、閉塞部２７の下端面２７ａと床面１６との間隔は本例では４ｍｍに設定している。
【００３６】
このように構成することにより、図１３に示した実施の形態４において切り欠き部７から流入して後側切り欠き部２６を通過し、直接吸込口体１の内部に向かっていた気流ｇ（図１６参照）を、閉塞部２７によって遮蔽し、閉塞部２７の下側に形成された空間２７ｂを介して下方に向かう気流とすることができる。これにより、溝内部に向かう空気量を増大させることができるとともに、強い下降気流を発生させることができる。その結果、溝２０が深い場合でも、溝底面に溜まったゴミを巻き上げるのに十分な気流が溝底面に達し、高いゴミ除去効果を得ることができる。
【００３７】
ここで、閉塞部２７の下端面２７ａと床面１６との間隔は、切り欠き風路遮蔽部２５の下方に向かう空気とその両側の空間２７ｂに向かう空気の割合に影響を及ぼすため、その間隔を最適に設定することにより、下方向に向かう気流を効果的に発生させて溝内部の吸塵効果を高めることが可能となる。ここで、閉塞部２７の下端面と床面１６との間隔を広くすることは、実施の形態４において後側切り欠き部２６設けることと効果的に同じ作用を生じるものであるが、あまり広くしすぎると、直接吸込口５に吸引される流量が多くなって溝内部の吸塵に寄与しなくなってしまう。一方、間隔を狭くしすぎると、全体的に空気量が減少してしまうので好ましくなく、これらの兼ね合いから適度に設定することが望ましい。
【００３８】
また、このように空間２７ｂを設けたことによって、吸込口体１を絨毯上で使用する場合、後述の図２１に示すように絨毯の植毛１６ａが、切り欠き風路遮蔽部２５の下面に達する程度の長さがあったとしても、吸込口５へ向かう風路を確保することができるので、溝内部の吸塵性能を向上しながらも、絨毯上での十分な吸塵性能を維持することが可能となる。
【００３９】
実施の形態６．
図２０は本発明の実施の形態６に係る電気掃除機の吸込口体のプレートの拡大斜視図、図２１はプレートの切り欠き部の正面図で、特に、絨毯上での使用時における切り欠き部正面図を示している。なお、図２０及び図２１において図１７〜図１９に示した実施の形態５と同一部分または相当する部分には同じ符号を付し説明を省略する。
【００４０】
本実施の形態６は、図１７に示した実施の形態５において切り欠き風路遮蔽部２５の下端両側に遮蔽部端部開口２８を設けたもので、その他の構成は実施の形態５と同様である。この遮蔽部端部開口２８は、その幅Ｗが本例では２ｍｍとされ、切り欠き風路遮蔽部２５の下端の幅が、切り欠き部７の幅に対して４ｍｍ狭く構成されている。
【００４１】
このように構成したことにより、上記実施の形態５とほぼ同様の作用効果が得られるとともに、切り欠き風路遮蔽部２５の下端両側に遮蔽部端部開口２８を設けたことにより、例えば吸込口体１を絨毯上で使用する場合に、図２１に示すように絨毯の植毛１６ａが切り欠き風路遮蔽部２５の下面に達する程度の長さがあったとしても、絨毯の植毛１６ａによって吸込口５へ向かう風路が遮蔽されるのを防止することができる。すなわち、遮蔽部端部開口２８によって、切り欠き部７から遮蔽部端部開口２８を通過して吸込口５へ向かう風路を確保することができるので、溝内部の吸塵性能を向上しながらも、絨毯上での十分な吸塵性能を維持することが可能となる。
【００４２】
ここで、切り欠き風路遮蔽部２５下端の幅を切り欠き部７の幅よりも４ｍｍ短く構成しているがこの寸法に限ったものでなく、溝内部の吸塵効果が得られる寸法を限度に短くすることが可能である。これにより、毛足の長い絨毯にも対応することが可能となる。なお、本発明者らの実験の結果によると、切り欠き部７の下端の幅の１／２がその限度で、切り欠き部の下端の幅の１／２より長く構成した場合には、溝内部の吸塵効果を得ることが確認できた。
【００４３】
実施の形態７．
図２２は本発明の実施の形態７に係る電気掃除機の吸込口体のプレートの拡大斜視図、図２３は図２２のＦ−Ｆ断面図である。なお、図２２及び図２３において、図１３及び図１４に示した実施の形態４と同一部分または相当する部分には同じ符号を付し説明を省略する。
【００４４】
実施の形態７の吸込口体１は、図１３及び図１４に示した実施の形態４の吸込口体の前側プレート８及び後側プレート９において、非切り欠き部１１及び切り欠き風路遮蔽部２５に相当する部分をそれぞれブラシ毛２９，３０に代えたもので、その他の構成は実施の形態４と同様である。なお、このブラシ毛２９，３０は、前側プレート８及び後側プレート９に対しそれぞれ植毛により固定されている。
【００４５】
このように構成された実施の形態７の吸込口体１は、実施の形態４とほぼ同様の作用効果を得ることができる。ただし、実施の形態４では板材で構成されていた非切り欠き部１１及び切り欠き風路遮蔽部２５を、ブラシ毛２９，３０に代えたため、空気の遮蔽効果は小さくなり、後方への空気の洩れが生じ、溝内部の吸塵性能効果については多少劣る。しかしながら、絨毯上で使用する際にはブラシ毛２９，３０によって絨毯表面の掻き取り効果を得ることができるため、電気掃除機の吸込口体１としての性能が向上する。
【００４６】
実施の形態８．
図２４は本発明の実施の形態８に係る電気掃除機の吸込口体のプレートの拡大斜視図、図２５は図２４のＧ−Ｇ断面図である。なお、図２４及び図２５において、図１〜図８に示した実施の形態１と同一部分または相当する部分には同じ符号を付し説明を省略する。
【００４７】
実施の形態８の吸込口体は、図１〜図８に示した実施の形態１においてスペーサ１０を省略するとともに、前側プレート８の厚みを厚くして例えば３ｍｍの厚みの前側プレート３１とし、この前側プレート３１と後側プレート９とを直接固定したものである。
【００４８】
このように構成したことにより、実施の形態１とほぼ同様の作用効果が得られる。すなわち、電気掃除機本体の運転が開始されて切り欠き部７の前方周囲から切り欠き部７に集中して流入した空気は、切り欠き風路遮蔽部１２によって下方向に向かう気流となり、図７及び図８に示した流れと同様に流れ、溝内部のゴミを十分に除去することが可能となっている。ここで、本実施の形態８においては、前側プレート３１が厚みを有することにより、切り欠き部７の両側には側壁３１ａが形成されている。このため、実施の形態１では前側プレート８の非切り欠き部１１と後側プレート９の間の隙間に流れていた空気を、下方向に向かう気流とすることができる。したがって、実施の形態１に比べて溝内部に向かう空気量が増大し、より高い除塵性能を得ることが可能となる。
【００４９】
また、本実施の形態８では切り欠き風路遮蔽部１２の下端と前側プレート３１の非切り欠き部１１の下端の高さが同じ高さとなっているが、切り欠き風路遮蔽部１２の下端を非切り欠き部１１の下端よりも低く構成するようにしてもよい。すなわち、本例では、上述したようにプレート６下端と床面１６の間隔を例えば２ｍｍに設定しているが、切り欠き風路遮蔽部１２については、床面１６との間隔を例えば１ｍｍに設定するようにしてもよい。このように構成した場合、切り欠き風路遮蔽部１２の下端と床面１６の間隔から直接吸込口５に吸引されていた空気を、切り欠き風路遮蔽部１２によって遮断し、下方向に向かう気流とすることができ、溝内部の吸塵性能を向上させることができる。
【００５０】
実施の形態９．
図２６は本発明の実施の形態９に係る電気掃除機の吸込口体のプレートの拡大斜視図、図２７は図２６のＨ−Ｈ断面図である。なお、図２６及び図２７において、図２４及び図２５に示した実施の形態８と同一部分または相当する部分には同じ符号を付し説明を省略する。
【００５１】
実施の形態９は、図２４及び図２５に示した実施の形態８における前側プレート３１において、切り欠き部７に代えて切り欠き部３２を備えたもので、その他の構成は図８と同様である。切り欠き部３２は、縦断面形状が上端部から下端部に向かうに従って高さが徐々に低くなるように形成され、且つ正面形状がほぼ矩形状で且つその上側の左右角部を湾曲した形状に形成するとともに、切り欠き部３２の内周縁と後側プレート９の切り欠き風路遮蔽部３３とが湾曲面３３ａによって滑らかに連結するように構成したものである。
【００５２】
本実施の形態９によれば、実施の形態８とほぼ同様の作用効果が得られるとともに、切り欠き部７をその縦断面形状が上端部から下端部に向かうに従って高さが徐々に低くなるように形成したので、切り欠き部３２に流入した空気を滑らかに下方に向ける効果が得られる。また、正面形状を略矩形状で且つその上側の左右角部を湾曲した形状とするとともに、切り欠き部３２の内周縁と後側プレート９の切り欠き風路遮蔽部３３とが湾曲面３３ａによって滑らかに連結するように構成したので、切り欠き部３２の内周縁全体から均一に空気が吸引される。これにより切り欠き部３２に集中して流入する空気の速度を上昇させることができ、強い下降気流を発生させることが可能となる。したがって、溝２０が深い場合でも、溝底面に溜まったゴミを巻き上げるのに十分な気流が溝底面に達し、高いゴミ除去効果を得ることができる。
【００５３】
実施の形態１０．
図２８は本発明の実施の形態１０に係る電気掃除機の吸込口体のプレートの拡大斜視図、図２９は図２８のＩ−Ｉ断面図である。なお、図２８及び図２９において、図２６及び図２７に示した実施の形態９と同一部分または相当する部分には同じ符号を付し説明を省略する。
【００５４】
実施の形態１０は、図２８及び図２９に示した実施の形態９において、前側プレート３１の非切り欠き部１１の下端と後側プレート９の切り欠き風路遮蔽部３３の下端とに、それぞれ前側ブラシ毛３４と後側ブラシ毛３５を植毛したもので、その他の構成は図９と同様である。
【００５５】
このように構成したことにより、実施の形態９とほぼ同様の作用効果が得られるとともに、前側ブラシ毛３４と後側ブラシ毛３５とを設けたので、絨毯上で使用する際に、前側ブラシ毛３４と後側ブラシ毛３５による絨毯表面の掻き取り効果を得ることができ、吸塵性能を向上させることができる。
【００５６】
実施の形態１１．
図３０は本発明の実施の形態１１に係る電気掃除機の吸込口体のプレートの拡大斜視図、図３１は図３０のＪ−Ｊ断面図である。なお、図１１及び図１２に示した実施の形態３と同一部分には同一符号を付し説明を省略する。
【００５７】
実施の形態１１の吸込口体は、実施の形態３と実施の形態６と実施の形態９のそれぞれの特徴部分を組み合わせた構成を成すものである。すなわち、以下の（１）〜（３）の構成を有する。
【００５８】
（１）弓状に湾曲した湾曲状の切り欠き形状を有する切り欠き部２３を有する（実施の形態３の特徴部分に相当）。
（２）切り欠き風路遮蔽部３７の下端両側に遮蔽部端部開口３７ａを有する（実施の形態６の特徴部分に相当）。
（３）切り欠き部２３の内周縁２４と後側プレート９の切り欠き風路遮蔽部３７とを湾曲面１０ａによって滑らかに連結し、その湾曲面１０ａを、図３１に示されているように縦断面形状が上端部から下端部に向かうに従って高さが徐々に低くなるように構成する（実施の形態９の特徴部分に相当）。なお、本実施の形態１１では、湾曲面１０ａはスペーサ１０によって構成されている。
【００５９】
このように構成したことにより、実施の形態３、実施の形態６及び実施の形態９とほぼ同様の作用効果を得ることができるとともに、各実施の形態の特徴部分による効果が相乗的に作用してより溝内部の高い吸塵効果が期待できる。
【００６０】
なお、上述した実施の形態１〜実施の形態１１においてそれぞれ別の実施の形態として説明したが、上記実施の形態１１で例を挙げて説明したように、各実施の形態を適宜組み合わせた電気掃除機としてもよい。他に組み合わせの例を挙げれば、例えば実施の形態３と実施の形態５とを組み合わせて、図１７において矩形状としていた切り欠き形状を、弓状を成す湾曲状としてもよい。また、実施の形態１０において非切り欠き部１１と切り欠き風路遮蔽部３３のそれぞれの下端にブラシ毛を植毛する構成を実施の形態３と組み合わせて、図１１において非切り欠き部１１と切り欠き風路遮蔽部１２のそれぞれの下端にブラシ毛を植毛するようにしてもよい。
【００６１】
なお、上記各実施の形態では、前側プレート８（３１）、後側プレート９及びスペーサ（省略される場合もある）１０の３部材（又は２部材）で板状部材６を構成する場合を例に説明したが、一体的に成形して一部材で構成するようにしても良い。この場合、部品点数を少なくすることができ、安価に構成することが可能となる。なお、製造工程上、前側プレート８（３１）と後側プレート９とを分けて構成した方が簡単な場合には、本例の構成を採用することが好ましい。
【００６２】
また、上記各実施の形態では、前側プレートと後側プレートとの間隔又は前側プレートの厚みを３ｍｍとすることで、切り欠き部の前面から切り欠き風路遮蔽部の前面までの距離を３ｍｍに設定しているが、これに限ったものでなく、十分な吸塵性能を得ることできる範囲内で設定することができる。発明者らの実験によると、１ｍｍ〜６ｍｍの範囲内であれば十分な吸塵性能を得ることが確認できた。なお、この間隔は広ければ広いほど吸塵性能を高めることが可能であるが、吸込口体１において許容できる大きさとの兼ね合いから１０ｍｍを限度とすることが好ましい。要は、１ｍｍから１０ｍｍの範囲内であることが望ましい。
【００６３】
また、上記各実施の形態において、前側プレート８（３１）と後側プレート９の両方もしくは何れか一方をゴムやエラストマーなどの可とう性を有する材料で構成するようにすれば、吸込口体１を絨毯上で移動させる際に、その移動方向に応じてこれらのプレート８（３１），９が変形するため、吸込口体１を前後方向に移動させるための操作力を軽減することが可能となる。
【図面の簡単な説明】
【００６４】
【図１】本発明の実施の形態１に係る電気掃除機の吸込口体の前方斜視図である。
【図２】本発明の実施の形態１に係る電気掃除機の吸込口体の側面断面図である。
【図３】本発明の実施の形態１に係るプレートの拡大斜視図である。
【図４】図３のＡ−Ａ断面図である。
【図５】本発明の実施の形態１に係る電気掃除機の吸込口体を溝上に載置した状態を示した説明図である。
【図６】本発明の実施の形態１に係る電気掃除機の吸込口体により発生する溝内部気流の状態を表わした説明図である。
【図７】本発明の実施の形態１に係る電気掃除機の吸込口体を溝上に載置した状態における切り欠き部７にかかる断面を示す側面断面図である。
【図８】本発明の実施の形態１に係る電気掃除機の吸込口体を溝上に載置した状態における非切り欠き部１１にかかる断面を示す側面断面図である。
【図９】本発明の実施の形態２に係る電気掃除機の吸込口体のプレートの拡大斜視図である。
【図１０】図９のＢ−Ｂ断面図である。
【図１１】本発明の実施の形態３に係る電気掃除機の吸込口体のプレートの拡大斜視図である。
【図１２】図１１のＣ−Ｃ断面図である。
【図１３】本発明の実施の形態４に係る電気掃除機の吸込口体のプレートの拡大斜視図である。
【図１４】図１３のＤ−Ｄ断面図である。
【図１５】本発明の実施の形態４に係る電気掃除機の吸込口体を溝上に載置した状態における切り欠き部７にかかる断面を示す側面断面図である。
【図１６】本発明の実施の形態４に係る電気掃除機の吸込口体を溝上に載置した状態における非切り欠き部１１にかかる断面を示す側面断面図である。
【図１７】本発明の実施の形態５に係る電気掃除機の吸込口体のプレートの拡大斜視図である。
【図１８】図１７のＥ−Ｅ断面図である。
【図１９】図１７において前側プレートを取り外した状態を示す図である。
【図２０】本発明の実施の形態６に係る電気掃除機の吸込口体のプレートの拡大斜視図である。
【図２１】本発明の実施の形態６に係るプレート６の切り欠き部の正面図である。
【図２２】本発明の実施の形態７に係る電気掃除機の吸込口体のプレートの拡大斜視図である。
【図２３】図２２のＦ−Ｆ断面図である。
【図２４】本発明の実施の形態８に係る電気掃除機の吸込口体のプレートの拡大斜視図である。
【図２５】図２４のＧ−Ｇ断面図である。
【図２６】本発明の実施の形態９に係る電気掃除機の吸込口体のプレートの拡大斜視図である。
【図２７】図２６のＨ−Ｈ断面図である。
【図２８】本発明の実施の形態１０に係る電気掃除機の吸込口体のプレートの拡大斜視図である。
【図２９】図２８のＩ−Ｉ断面図である。
【図３０】本発明の実施の形態１１に係る電気掃除機の吸込口体のプレートの拡大斜視図である。
【図３１】図３０のＪ−Ｊ断面図である。
【符号の説明】
【００６５】
１  吸込口体、２  吸込口体本体、５  吸込口、６  プレート（板状部材）、７  切り欠き部、８  前側プレート（前面板部材）、９  後側プレート（背面板部材）、１０ａ  湾曲面、１１  非切り欠き部、１２  切り欠き風路遮蔽部、１６  床面、２０  溝、２１  切り欠き部、２２  湾曲部、２３  切り欠き部、２４  内周縁、２５  切り欠き風路遮蔽部、２７  閉塞部、２７ａ  下端面、３１  前側プレート、３２  切り欠き部、３３  切り欠き風路遮蔽部、３４  前側ブラシ毛、３５  後側ブラシ毛、３７  切り欠き風路遮蔽部。
【図１】
2006102367.tif 000003
【図２】
2006102367.tif 000004
【図３】
2006102367.tif 000005
【図４】
2006102367.tif 000006
【図５】
2006102367.tif 000007
【図６】
2006102367.tif 000008
【図７】
2006102367.tif 000009
【図８】
2006102367.tif 000010
【図９】
2006102367.tif 000011
【図１０】
2006102367.tif 000012
【図１１】
2006102367.tif 000013
【図１２】
2006102367.tif 000014
【図１３】
2006102367.tif 000015
【図１４】
2006102367.tif 000016
【図１５】
2006102367.tif 000017
【図１６】
2006102367.tif 000018
【図１７】
2006102367.tif 000019
【図１８】
2006102367.tif 000020
【図１９】
2006102367.tif 000021
【図２０】
2006102367.tif 000022
【図２１】
2006102367.tif 000023
【図２２】
2006102367.tif 000024
【図２３】
2006102367.tif 000025
【図２４】
2006102367.tif 000026
【図２５】
2006102367.tif 000027
【図２６】
2006102367.tif 000028
【図２７】
2006102367.tif 000029
【図２８】
2006102367.tif 000030
【図２９】
2006102367.tif 000031
【図３０】
2006102367.tif 000032
【図３１】
2006102367.tif 000033